(57)【要約】  【課題】  使用状況に適した光量で液晶表示パネルを照明することができる液晶表示装置を提供する。  【解決手段】  液晶表示パネル２０と、液晶表示パネルの周囲及び裏面を覆うハウジング２１と、液晶表示パネル２０を裏面側から照明するバックライトとを備える液晶表示装置に、液晶表示パネル２０を表示面２０ａ側から補助的に照明する照明部５と、バックライト又は照明部５による照明方法の選択を受け付ける照明切換スイッチ３２と、照明切換スイッチ３２の操作に応じて、バックライト又は照明部５を選択的に駆動する駆動部とを備える。【選択図】        図１
2006106634.tif 000002
【特許請求の範囲】
【請求項１】
透過反射兼用型の液晶表示パネルと、該液晶表示パネルを照明するバックライトとを備える液晶表示装置において、
前記液晶表示パネルを表示面側から補助的に照明する照明手段と、
前記バックライト又は前記照明手段を選択的に駆動する駆動手段と
を備えることを特徴とする液晶表示装置。
【請求項２】
前記バックライト又は前記照明手段の選択を受け付ける受付手段を備え、
前記駆動手段は、
前記受付手段が受け付けた選択に応じて、前記バックライト又は前記照明手段を選択的に駆動するようにしてある
ことを特徴とする請求項１に記載の液晶表示装置。
【請求項３】
外部の光量を検出する検出手段を備え、
前記駆動手段は、
前記検出手段が検出した光量に応じて、前記バックライト又は前記照明手段を選択的に駆動するようにしてある
ことを特徴とする請求項１又は請求項２に記載の液晶表示装置。
【請求項４】
前記駆動手段は、
前記検出手段により検出した光量が所定光量以上の場合、前記バックライト及び前記照明手段による照明を停止する手段を備える
ことを特徴とする請求項３に記載の液晶表示装置。
【請求項５】
前記液晶表示パネルを開閉自在に枢支する支持体と、
前記液晶表示パネルの開閉状態を検出する開閉検出手段と
を備え、
前記駆動手段は、
前記液晶表示パネルが閉じた状態にあることを前記開閉検出手段が検出した場合、前記バックライト及び前記照明手段による照明を停止する手段を備える
ことを特徴とする請求項１乃至請求項４のいずれか一つに記載の液晶表示装置。
【請求項６】
前記液晶表示パネルを開閉自在に枢支する支持体と、
該支持体に着脱自在に装着された電池と
を備え、
前記電池は、
前記液晶表示パネルの表示面に対向する箇所に前記照明手段を備える
ことを特徴とする請求項１乃至請求項４のいずれか一つに記載の液晶表示装置。
【請求項７】
前記照明手段は、
前記液晶表示パネルの裏面側に設けられている光源と、
前記液晶表示パネルの端辺に並設され、前記光源から導いた照明光を出射する出射口を前記液晶表示パネルの表示面側に有する導光体と
を備える
ことを特徴とする請求項１乃至請求項５のいずれか一つに記載の液晶表示装置。
【請求項８】
前記バックライト及び／又は前記照明手段は、
発光ダイオードを備える
ことを特徴とする請求項１乃至請求項７のいずれか一つに記載の液晶表示装置。
【請求項９】
撮像手段と、
請求項１乃至請求項８のいずれか一つに記載の液晶表示装置と
を備え、
前記液晶表示装置は、
前記撮像手段が撮像した画像を表示するようにしてある
ことを特徴とする撮像装置。
【発明の詳細な説明】
【技術分野】
【０００１】
本発明は、透過反射兼用型の液晶表示パネルと、該液晶表示パネルを照明する手段とを備える液晶表示装置、及び該液晶表示装置を備える撮像装置に関する。
【背景技術】
【０００２】
従来の液晶表示装置は、画像を表示する透過反射兼用型の液晶表示パネルと、液晶表示パネルを照明するバックライトとを備えている。透過反射兼用型の液晶表示パネルは、入射光の一部を透過し、一部を反射する半透過型、高透過型等の液晶表示パネルである。液晶表示パネルの周囲及び裏面はハウジングで覆われており、ハウジングは、液晶表示パネルの裏面側に設けられたバックライトを収容している。
【０００３】
バックライトは、液晶表示パネルの裏面に対向配置された導光板と、該導光板の端辺に沿って配された光源ユニットとを備えている。光源ユニットは、冷陰極蛍光ランプと、該冷陰極蛍光ランプからの照明光を導光板へ入射させるリフレクタとからなり、光源ユニットからの照明光は導光板を経て液晶表示パネルに導かれる。冷陰極蛍光ランプは、液晶表示パネルに表示された画像を良好に視認できるような光量で発光する。
【０００４】
また、液晶表示パネルの裏面には、液晶表示パネル全域の均等照明を補助する作用をなす拡散シートが貼着され、導光板の裏面には、同側に漏れ出す照明光を反射して、導光板へ戻す作用をなす反射シートが配してある。
【０００５】
前記液晶表示装置は、動画又は静止画を撮像する撮像装置、ノートパソコン、携帯電話、ＰＤＡ（Ｐｅｒｓｏｎａｌ  Ｄｉｇｉｔａｌ  Ａｓｓｉｓｔａｎｔ）等の機器に用いられており、液晶表示パネルはバックライトにより照明されて画像を表示する。
【特許文献１】特開２００２−３１１４３５号公報
【発明の開示】
【発明が解決しようとする課題】
【０００６】
しかしながら、従来の液晶表示装置においては、照明光の光量調整を行わずに液晶表示パネルを照明する構成であるため、使用状況によっては液晶表示パネルの表示面が明る過ぎ、液晶表示装置の使い勝手が悪い場合があるという問題があった。
【０００７】
例えば、劇場のように照明を抑えるべき場所においては、液晶表示パネルの表示面が明る過ぎる場合、周囲の観客に迷惑をかける恐れがあるため、液晶表示装置を満足に使用することができないという問題がある。
【０００８】
本発明は、斯かる事情に鑑みてなされたものであり、照明方法として、透過反射兼用型の液晶表示パネルの表示面を補助的に照明する補助照明と、バックライトによる主照明とを選択可能に構成することにより、使用状況に適した主照明又は補助照明のいずれかを選択することができる液晶表示装置及び該液晶表示装置を備える撮像装置を提供することを目的とする。
【０００９】
また、バックライトによる主照明及び補助照明の選択を受付可能に構成することにより、液晶表示装置の使用状況に応じて、主照明及び補助照明を適宜切り換えることができる液晶表示装置及び該液晶表示装置を備える撮像装置を提供することを他の目的とする。
【００１０】
更に、外部の光量に応じて、主照明及び補助照明を選択可能に構成することにより、外部の光量に応じた照明の切換操作を不要とする液晶表示装置及び該液晶表示装置を備える撮像装置を提供することを他の目的とする。
【００１１】
更にまた、外部の光量に応じて、主照明及び補助照明を停止するように構成することにより、照明による無駄なエネルギー消費を抑えることができる液晶表示装置及び該液晶表示装置を備える撮像装置を提供することを他の目的とする。
【００１２】
更にまた、液晶表示パネルを開閉自在に枢支する支持体を備え、液晶表示パネルが閉じた状態にある場合、主照明及び補助照明を停止するように構成することにより、照明による無駄なエネルギー消費を抑えることができる液晶表示装置及び該液晶表示装置を備える撮像装置を提供することを他の目的とする。
【００１３】
更にまた、液晶表示パネルを開閉自在に枢支する支持体と、該支持体に装着された電池とを備え、該電池に、液晶表示パネルを補助的に照明するための光源を設けることにより、支持体及び液晶表示パネル部分の構造を複雑化することなく、液晶表示パネルを補助的に照明する光源を備えることができる液晶表示装置及び該液晶表示装置を備える撮像装置を提供することを他の目的とする。
【００１４】
更にまた、液晶表示パネルの裏面側に光源を設け、光源から導いた照明光を出射する出射口を液晶表示パネルの表示面側に有する導光体を備えることにより、的確に照明光を表示面に照射することができる液晶表示装置及び該液晶表示装置を備える撮像装置を提供することを他の目的とする。
【００１５】
更にまた、照明用の光源として発光ダイオードを備えることにより、冷陰極蛍光ランプに比して、エネルギー消費量が低く、照明光の光量を容易に調整することができる液晶表示装置及び該液晶表示装置を備える撮像装置を提供することを他の目的とする。
【課題を解決するための手段】
【００１６】
本発明に係る液晶表示装置は、透過反射兼用型の液晶表示パネルと、該液晶表示パネルを照明するバックライトとを備える液晶表示装置において、前記液晶表示パネルを表示面側から補助的に照明する照明手段と、前記バックライト又は前記照明手段を選択的に駆動する駆動手段とを備えることを特徴とする。
【００１７】
本発明にあっては、駆動手段がバックライトによる照明と照明手段による照明とを選択的に駆動する。特に照明手段は、液晶表示パネルを表示面側から補助的に照明するため、バックライトにより液晶表示パネルを照明する場合に比して、表示面の明るさを抑えることができる。
【００１８】
本発明に係る液晶表示装置は、前記バックライト又は前記照明手段の選択を受け付ける受付手段を備え、前記駆動手段は、前記受付手段が受け付けた選択に応じて、前記バックライト又は前記照明手段を選択的に駆動するようにしてあることを特徴とする。
【００１９】
本発明にあっては、バックライト又は照明手段による照明の選択を受付手段により受け付けた場合、選択内容に応じて、駆動手段がバックライト又は照明手段のいずれかを駆動する。従って、受付手段により、バックライトによる照明と、照明手段による補助的な照明とを適宜選択することができる。
【００２０】
本発明に係る液晶表示装置は、外部の光量を検出する検出手段を備え、前記駆動手段は、前記検出手段が検出した光量に応じて、前記バックライト又は前記照明手段を選択的に駆動するようにしてあることを特徴とする。
【００２１】
本発明にあっては、検出手段により検出した外部の光量に応じて、駆動手段がバックライト又は照明手段のいずれかを駆動する。つまり、外部の光量を検出することにより、駆動手段は、液晶表示パネルの照明に必要な光量の不足分を補うべき照明手段を選択して駆動する。従って、外部の光量に応じた照明の選択操作は不要である。
【００２２】
本発明に係る液晶表示装置は、前記駆動手段が、前記検出手段により検出した光量が所定光量以上の場合、前記バックライト及び前記照明手段による照明を停止する手段を備えることを特徴とする。
【００２３】
本発明にあっては、外部の光量が所定光量以上の場合、例えば液晶表示パネルに表示された画像を、照明無しで視認できるような場合、駆動手段は、バックライト及び照明手段による照明を停止する。
【００２４】
本発明に係る液晶表示装置は、前記液晶表示パネルを開閉自在に枢支する支持体と、前記液晶表示パネルの開閉状態を検出する開閉検出手段とを備え、前記駆動手段は、前記液晶表示パネルが閉じた状態にあることを前記開閉検出手段が検出した場合、前記バックライト及び前記照明手段による照明を停止する手段を備えることを特徴とする。
【００２５】
本発明にあっては、液晶表示パネルが閉じた状態、つまり液晶表示パネルの表示面が支持体により覆われ、表示面を視認できない状態にあることを開閉検出手段が検出した場合、駆動手段はバックライト及び照明手段による照明を停止する。
【００２６】
本発明に係る液晶表示装置は、前記液晶表示パネルを開閉自在に枢支する支持体と、該支持体に着脱自在に装着された電池とを備え、前記電池は、前記液晶表示パネルの表示面に対向する箇所に前記照明手段を備えることを特徴とする。
【００２７】
本発明にあっては、支持体に着脱自在に装着された電池が、液晶表示パネルの表示面に対向する箇所に照明手段を備えるため、照明手段を備えるためのスペースを支持体又は液晶表示パネルの裏側に確保する必要はない。
【００２８】
本発明に係る液晶表示装置は、前記照明手段が、前記液晶表示パネルの裏面側に設けられている光源と、前記液晶表示パネルの端辺に並設され、前記光源から導いた照明光を出射する出射口を前記液晶表示パネルの表示面側に有する導光体とを備えることを特徴とする。
【００２９】
本発明にあっては、液晶表示パネルの裏面側に設けられた光源からの照明光は液晶表示パネルの端辺に並設された導光体を通じ、導光体の出射口から液晶表示パネルの表示面に照射される。従って、例えば液晶表示パネルの表示面から隔離対向する箇所に照明手段を備える場合に比して、照明光は的確に液晶表示パネルの表示面に照射される。
【００３０】
本発明に係る液晶表示装置は、前記バックライト及び／又は前記照明手段が、発光ダイオードを備えることを特徴とする。
【００３１】
本発明にあっては、バックライト及び／又は照明手段は、冷陰極蛍光ランプに比して、エネルギー消費量が少なく、また光量の調整が容易な発光ダイオードにより液晶表示パネルを照明する。なお、バックライト及び／又は照明手段は、バックライト及び照明手段、又はバックライト若しくは照明手段のいずれかを意味している。
【００３２】
本発明に係る撮像装置は、撮像手段と、上述のいずれか一つの液晶表示装置とを備え、前記液晶表示装置は、前記撮像手段が撮像した画像を表示するようにしてあることを特徴とする。
【００３３】
本発明にあっては、撮像手段が撮像した画像を表示する液晶表示パネルの表示面は、バックライト又は照明手段による適切な照明光により照明される。
【発明の効果】
【００３４】
本発明に係る液晶表示装置及び撮像装置によれば、バックライトによる主照明、又は照明手段による補助照明のいずれかを使用状況に応じて選択的に駆動することができる。
【００３５】
本発明に係る液晶表示装置及び撮像装置によれば、バックライトによる主照明と、照明手段による補助照明とを使用状況に応じて適宜選択することができる。
【００３６】
本発明に係る液晶表示装置及び撮像装置によれば、照明の切り換えを行わずとも、外部の光量に応じた適切な照明光により液晶表示パネルを照明することができる。
【００３７】
本発明に係る液晶表示装置及び撮像装置によれば、外部の光量に応じて照明を停止することにより、照明による無駄なエネルギー消費を抑えることができる。
【００３８】
本発明に係る液晶表示装置及び撮像装置によれば、液晶表示パネルが閉じている場合、照明を停止することにより、照明による無駄なエネルギー消費を抑えることができる。
【００３９】
本発明に係る液晶表示装置及び撮像装置によれば、支持体又は液晶表示装置の構造を複雑化することなく、照明手段を備えることができる。
【００４０】
本発明に係る液晶表示装置及び撮像装置によれば、照明手段による補助的な照明光を液晶表示装置の表示面に的確に照射することができる。
【００４１】
本発明に係る液晶表示装置及び撮像装置によれば、冷陰極蛍光ランプに比して、照明によるエネルギー消費量を抑えることができ、また照明光の光量を容易に調整することができる。
【発明を実施するための最良の形態】
【００４２】
以下、本発明をその実施の形態を示す図面に基づいて詳述する。
【００４３】
（実施の形態１）
図１は、本発明に係る液晶表示装置を備える撮像装置の略示斜視図である。本発明に係る撮像装置は、略直方体の筐体１０（支持体）を備えており、筐体１０の正面にはレンズ６（撮像手段）が設けられている。背面視で筐体１０の左側面中、正面側部分には、回転ヒンジ１１が縦向きに設けられており、回転ヒンジ１１により表示部２が開閉自在に枢支されている。
【００４４】
表示部２は、高透過型の液晶表示パネル２０を備えている。液晶表示パネル２０の周囲及び裏面２０ｂ（図２参照）はハウジング２１により覆われており、液晶表示パネル２０は一面を表示面２０ａとして露出している。ハウジング２１は、表示部２の開閉を検出するための凸部２１ａを、表示面２０ａの上側の部位に形成しており、筐体１０は、表示部２の開閉により凸部２１ａが当接する左側面の部位に開閉検出スイッチ７６を備えている。つまり、表示部２の開閉によって、凸部２１ａが開閉検出スイッチ７６をオン／オフするように構成されている。表示部２が閉じた場合、開閉検出スイッチ７６はオンの状態になり、表示部２が開いた場合、開閉検出スイッチ７６はオフの状態になる。
【００４５】
筐体１０は、開閉検出スイッチ７６より正面側の部位に、白色発光ダイオードを用いてなる照明部５を備えている。照明部５は、液晶表示パネル２０の表示面２０ａを補助的に照明する。また、筐体１０は、開閉検出スイッチ７６より上側の部位に、光量検出部７７（検出手段）及び照明切換スイッチ３２（受付手段）を備えている。光量検出部７７は、例えば光電変換素子を備え、光量に応じた電圧値を出力する機能を有している。照明切換スイッチ３２は、第１乃至第３状態をとるスライドスイッチであり、液晶表示パネル２０の照明方法の切り換えを受け付ける。更に、筐体１０は、背面に電源スイッチ３０、及び記録ボタン３１を備えている。
【００４６】
図２は、図１のII−II線断面図である。ハウジング２１は、液晶表示パネル２０の裏面２０ｂに、液晶表示パネル２０を照明するバックライト４を収容している。バックライト４は、液晶表示パネル２０の裏面２０ｂに対向配置された導光板４０と、導光板４０の端辺に沿って配された光源ユニット４１とを備えている。光源ユニット４１は、冷陰極蛍光ランプ４１ａと、冷陰極蛍光ランプ４１ａからの照明光を導光板４０へ入射させるリフレクタ４１ｂとからなり、光源ユニット４１からの照明光は導光板４０を経て液晶表示パネル２０の全域に照射される。
【００４７】
また、液晶表示パネル２０の裏面２０ｂには、液晶表示パネル２０全域の均等照明を補助する作用をなす拡散シート２２が貼着され、導光板４０の背面には、同側に漏れ出す照明光を反射して、導光板４０へ戻す作用をなす反射シート４ａが配してある。
【００４８】
図３は、撮像装置の構成を示すブロック図である。撮像装置は、バックライト４及び照明部５を選択的に駆動する駆動部８と、駆動部８によりバックライト４及び照明部５を選択的に駆動制御する制御部７０とを備えている。制御部７０は、バックライト４又は照明部５を選択的に駆動制御するためのプログラムを記憶するＲＯＭ、前記プログラムを実行するＣＰＵ、一時記憶用のＲＡＭ等を備えるワンチップマイコンから構成されている。制御部７０の入出力端子には、開閉検出スイッチ７６、光量検出部７７、電源スイッチ３０、記録ボタン３１、及び照明切換スイッチ３２が接続されており、光量検出、各種スイッチ及びボタンの状態を検出可能に構成されている。
【００４９】
また、撮像装置は、レンズ６の後方に撮像素子７１（撮像手段）を備えている。撮像素子７１は、例えばアスペクト比が４／３のＣＣＤを用いて構成されており、レンズ６で集光して結像した像をアナログの撮像信号に光電変換し、光電変換した撮像信号をＡ／Ｄ変換部７２へ出力する。撮像素子７１の光電変換は、制御部７０により制御される。
【００５０】
Ａ／Ｄ変換部７２は、アナログの撮像信号をデジタルの撮像データにＡＤ変換し、ＡＤ変換した撮像データを信号処理部７３へ出力する。信号処理部７３は、ＤＳＰ（Ｄｉｇｉｔａｌ  Ｓｉｇｎａｌ  Ｐｒｏｃｅｓｓｏｒ）を用いてなり、Ａ／Ｄ変換部７２から出力された撮像データをＳＲＡＭ、ＳＤＲＡＭ等の作業用のメモリ７４に書き込む機能と、撮像データを表示用の信号に変換して表示部２へ出力する機能とを有している。表示部２は、信号処理部７３から出力された信号に基づいて撮像データに係る画像を表示する。
【００５１】
また、信号処理部７３は、メモリ７４に書き込んだ撮像データをＭｏｔｉｏｎＪＰＥＧ又はＭＰＥＧ等の圧縮伸張方式により圧縮する機能と、圧縮した撮像データを記録再生部７５へ出力し、記録再生部７５に着脱自在に装着された記録媒体Ａに撮像データを記録する機能とを有している。記録媒体Ａは、磁気テープ又は半導体メモリ等である。
【００５２】
図４及び図５は、バックライト４又は照明部５の照明に係る制御部７０の処理手順を示すフローチャートである。電源スイッチ３０がオンになった場合、制御部７０は、記録フラグに０を設定する（ステップＳ１）。記録フラグは、撮像した画像の撮像データを記録媒体Ａに記録するか否かを示すデータである。次いで、制御部７０は、開閉検出スイッチ７６の状態を検出して開閉検出スイッチ７６がオンの状態にあるか否か、即ち表示部２が閉じた状態にあるか否かを判定する（ステップＳ２）。
【００５３】
開閉検出スイッチ７６がオンの状態にないと判定した場合（ステップＳ２：ＮＯ）、制御部７０は、照明切換スイッチ３２の操作状態を検出し、照明切換スイッチ３２が第１状態にあるか否かを判定する（ステップＳ３）。照明切換スイッチ３２が第１状態にあると判定した場合（ステップＳ３：ＹＥＳ）、制御部７０は、バックライト４を選択して駆動する（ステップＳ４）。つまり、制御部７０は、照明部５による照明を停止し、バックライト４を駆動する。
【００５４】
照明切換スイッチ３２が第１状態にないと判定した場合（ステップＳ３：ＮＯ）、制御部７０は、照明切換スイッチ３２が第２状態にあるか否かを判定する（ステップＳ５）。照明切換スイッチ３２が第２状態にあると判定した場合（ステップＳ５：ＹＥＳ）、制御部７０は、照明部５を選択して駆動する（ステップＳ６）。つまり、制御部７０は、バックライト４による照明を停止し、照明部５を駆動する。照明切換スイッチ３２が第２状態にないと判定した場合（ステップＳ５：ＮＯ）、制御部７０は、光量検出部７７により光量を検出する（ステップＳ７）。
【００５５】
次いで、制御部７０は、ステップＳ７において検出した光量が所定光量以上、例えば液晶表示装置に表示された画像を照明なしで視認できるような光量以上であるか否かを判定する（ステップＳ８）。検出した光量が所定光量以上でないと判定した場合（ステップＳ８：ＮＯ）、制御部７０は、検出した光量に応じてバックライト４又は照明部５のいずれかを選択して駆動する（ステップＳ９）。
【００５６】
検出した光量が所定光量以上であると判定した場合（ステップＳ８：ＹＥＳ）、又はステップＳ２において開閉検出スイッチ７６がオンの状態にあると判定した場合（ステップＳ２：ＹＥＳ）、制御部７０は、バックライト４及び照明部５による照明を停止する（ステップＳ１０）。
【００５７】
ステップＳ４、ステップＳ６、ステップＳ９、又はステップＳ１０の処理を終えた場合、制御部７０は、撮像素子７１が光電変換した撮像信号をデジタルの撮像データにＡＤ変換する（ステップＳ１１）。次いで、制御部７０は、撮像データを表示用の信号に変換して表示部２へ出力する（ステップＳ１２）。
【００５８】
ステップＳ１２の処理を終えた場合、制御部７０は、記録ボタン３１の操作状態を検出し、記録ボタン３１がオンの状態にあるか否かを判定する（ステップＳ１３）。記録ボタン３１がオンの状態にあると判定した場合（ステップＳ１３：ＹＥＳ）、制御部７０は、記録フラグの値を変更する（ステップＳ１４）。つまり、制御部７０は、記録フラグが１の場合、記録フラグに０を設定し、記録フラグが０の場合、記録フラグに１を設定する。
【００５９】
ステップＳ１４の処理を終えた場合、又はステップＳ１３において記録ボタン３１がオンの状態にないと判定した場合（ステップＳ１３：ＮＯ）、制御部７０は、記録フラグが１であるか否かを判定する（ステップＳ１５）。記録フラグが１であると判定した場合（ステップＳ１５：ＹＥＳ）、制御部７０は、撮像データを所定の圧縮伸張方式により圧縮し、圧縮した撮像データを記録媒体Ａに記録する（ステップＳ１６）。
【００６０】
ステップＳ１６の処理を終えた場合、又は記録フラグが１でないと判定した場合（ステップＳ１５：ＮＯ）、制御部７０は、電源スイッチ３０の操作状態を検出し、電源スイッチ３０がオンの状態にあるか否かを判定する（ステップＳ１７）。電源スイッチ３０がオンの状態にあると判定した場合（ステップＳ１７：ＹＥＳ）、制御部７０は、処理をステップＳ２へ戻す。電源スイッチ３０がオンの状態にないと判定した場合（ステップＳ１７：ＮＯ）、制御部７０は、処理を終了する。
【００６１】
このように構成される撮像装置にあっては、照明切換スイッチ３２により、バックライト４による照明と、照明部５の白色発光ダイオードによる補助的な照明とを適宜切り換えることができる。従って、使用状況に応じた適切な照明により液晶表示パネル２０を照明することができる。
【００６２】
また、撮像装置外部の光量が所定光量以上の場合、又は表示部２が閉じた状態にある場合、バックライト４及び照明部５による照明を停止することにより、無駄な照明によるエネルギー消費を抑えることができる。
【００６３】
なお、表示装置を備える撮像装置を説明したが、これに限らず、表示装置をノートパソコン、携帯電話、ＰＤＡ等の機器に備えても良い。
【００６４】
また、実施の形態１にあっては、バックライトの光源として、冷陰極蛍光ランプを用いているが、白色発光ダイオードを光源として用いても良い。
【００６５】
更に、照明部の光源として、白色発光ダイオードを用いているが、非白色発光ダイオードを用いても良い。例えば、視感度の低い色で発光する発光ダイオードを用いた場合、使用状況に応じて、効果的に照明を抑えることができる。
【００６６】
（実施の形態２）
図６は、実施の形態２に係る撮像装置の略示斜視図、図７は、撮像装置が備える電池９の略示斜視図である。実施の形態２に係る撮像装置は、実施の形態１に記載の撮像装置と同様の筐体１１０、表示部２、バックライト、レンズ６、撮像素子７１、制御部７０、Ａ／Ｄ変換部７２、信号処理部７３、メモリ７４、記録再生部７５、開閉検出スイッチ７６、光量検出部７７、電源スイッチ３０、記録ボタン３１、及び照明切換スイッチ３２等を備えている。
【００６７】
撮像装置の筐体１１０は、左側面の開閉検出スイッチ７６より下側部分に装着部１１０ａを備えている。装着部１１０ａは、略直方体の電池９を着脱可能に装着する凹部を形成しており、撮像装置は、装着部１１０ａに装着された電池９により給電されて動作する。装着部１１０ａに装着された電池９は、背面視で左側面の適宜箇所に照明部１０５を備えており、電池９を装着部１１０ａに装着した場合、照明部１０５は表示部２側に露出するように構成されている。
【００６８】
照明部１０５は、電池９のパッケージ内部に発光ダイオード１５０と、発光ダイオード１５０を囲繞する反射部材１５１とを備えており、反射部材１５１には撮像装置の正面側の部位を方形に切り欠いてなる光出射口が開設されている。光出射口には、発光ダイオード１５０からの照明光を透過し、発光ダイオード１５０を物理的に保護する透明保護板１５２が嵌合している。透明保護板１５２の反発光ダイオード１５０側には、弧状断面を有し、電池９の左側面にて開口する凹部が形成されている。つまり、発光ダイオード１５０の照明光が透明保護板１５２及び凹部を通じて、電池９の左側面から液晶表示パネル２０の表示面２０ａに向けて出射するように構成されている。凹部の内面には発光ダイオード１５０の照明光を表示面２０ａへ反射する反射膜１５３が貼着されている。
【００６９】
図８は、撮像装置の回路構成の一部を示すブロック図である。電池９の陽極は陽極端子９ａに接続され、電池９の陰極は陰極端子９ｂに接続されている。撮像装置は、陽極端子９ａ及び陰極端子９ｂに夫々接続する端子１２ａ及び端子１２ｂを備えており、端子１２ａ及び端子１２ｂ夫々はＤＣ／ＤＣ変換部１８０に接続されている。
【００７０】
また、電池９の陰極は、発光ダイオード１５０のカソードに接続されており、発光ダイオード１５０のアノードは、アノード端子９ｃに接続されている。撮像装置は、アノード端子９ｃに接続される端子１２ｃを備えており、端子１２ｃは切換スイッチ１８１の照明部側切換端子１８１ａに接続されている。切換スイッチ１８１の共通端子１８１ｃは、ＤＣ／ＤＣ変換部１８０に接続されている。切換スイッチ１８１が照明部側切換端子１８１ａ側に切り換えられた場合、ＤＣ／ＤＣ変換部１８０から、共通端子１８１ｃ及び照明部側切換端子１８１ａを通じて発光ダイオード１５０に給電される。切換スイッチ１８１のバックライト側切換端子１８１ｂは、バックライトが光源として備える発光ダイオード１４１ａのアノードに接続されており、発光ダイオード１４１ａのカソードは接地されている。従って、切換スイッチ１８１がバックライト側切換端子１８１ｂ側に切り換えられた場合、ＤＣ／ＤＣ変換部１８０から、共通端子１８１ｃ及びバックライト側切換端子１８１ｂを通じて発光ダイオード１４１ａに給電される。
【００７１】
ＤＣ／ＤＣ変換部１８０及び切換スイッチ１８１は、駆動部１０８として機能し、切換スイッチ１８１の切り換え及びＤＣ／ＤＣ変換部１８０による給電は、制御部７０により制御されるように構成されている。なお、制御部７０には、図３に示したように撮像素子、Ａ／Ｄ変換部、信号処理部、メモリ、記録再生部、開閉検出スイッチ、及び光量検出部が接続されている。
【００７２】
実施の形態２に係る撮像装置の他の構成、作用及び効果は、実施の形態１に係る撮像装置の構成、作用及び効果と同様であるため、同様な箇所には同様の符号を付してその詳細な説明を省略する。
【００７３】
実施の形態２に係る撮像装置にあっては、照明部１０５を備えるためのスペースを表示部２又は筐体１１０に確保する必要がなく、照明部を簡易に構成することができる。
【００７４】
（実施の形態３）
図９は、実施の形態３に係る撮像装置が備える表示部２０２の側断面図であり、図１０は、図９のＸ−Ｘ線断面図である。実施の形態３に係る撮像装置は、実施の形態１と同様の筐体２１０、レンズ６、撮像素子７１、制御部７０、Ａ／Ｄ変換部７２、信号処理部７３、メモリ７４、記録再生部７５、開閉検出スイッチ７６、光量検出部７７、駆動部８、電源スイッチ３０、記録ボタン３１、照明切換スイッチ３２等を備えている。
【００７５】
表示部２０２は、実施の形態１と同様の液晶表示パネル２２０及びバックライト２０４等に加え、液晶表示パネル２２０を表示面２２０ａ側から照明する照明部２０５を備えている。照明部２０５は、図１０に示すように、液晶表示パネル２２０の四隅夫々の裏側に設けられた４個の発光ダイオード２５０，・・・，２５０（光源）と、液晶表示パネル２２０の縁部を囲繞する方形枠状の導光体２５１とを備えている。発光ダイオード２５０，・・・，２５０は、反射部材２５２，・・・，２５２により囲繞されており、反射部材２５２，・・・，２５２には、導光体２５１の四隅側の部位を切り欠いてなる開口部が開設されている。導光体２５１は、開口部に対向し、発光ダイオード２５０，・・・，２５０の光を導入する部位、及び出射口２５１ｂ（図９参照）を除いて反射膜２５１ａにより覆われている。出射口２５１ｂは、液晶表示パネル２２０の表示面２２０ａ側であって、導光体２５１の四辺に沿うようにして光学的に開口している。
【００７６】
実施の形態３に係る撮像装置の他の構成、作用及び効果は、実施の形態１に係る撮像装置の構成、作用及び効果と同様であるため、同様な箇所には同様の符号を付して詳細な説明を省略する。
【００７７】
実施の形態３に係る撮像装置にあっては、液晶表示パネル２２０の表示面２２０ａに照明光を的確に照明ことができる。従って、照明光が表示面２２０ａ以外の部分に漏れることを抑えることができる。
【図面の簡単な説明】
【００７８】
【図１】本発明に係る液晶表示装置を備える撮像装置の略示斜視図である。
【図２】図１のII−II線断面図である。
【図３】撮像装置の構成を示すブロック図である。
【図４】バックライト又は照明部の照明に係る制御部の処理手順を示すフローチャートである。
【図５】バックライト又は照明部の照明に係る制御部の処理手順を示すフローチャートである。
【図６】実施の形態２に係る撮像装置の略示斜視図である。
【図７】撮像装置が備える電池の略示斜視図である。
【図８】撮像装置の回路構成の一部を示すブロック図である。
【図９】実施の形態３に係る撮像装置が備える表示部の側断面図である。
【図１０】図９のＸ−Ｘ線断面図である。
【符号の説明】
【００７９】
２  表示部
４  バックライト
５  照明部
６  レンズ
８  駆動部
９  電池
１０  筐体
２０  液晶表示パネル
２０ａ  表示面
２０ｂ  裏面
３２  照明切換スイッチ
７０  制御部
７１  撮像素子
７２  Ａ／Ｄ変換部
７３  信号処理部
７４  メモリ
７５  記録再生部
７６  開閉検出スイッチ
７７  光量検出部
１５０  発光ダイオード
１５１  反射部材
１５２  透明保護板
１５３  反射膜
２５０  発光ダイオード
２５１  導光体
２５１ｂ  出射口
２５２  反射部材
【図１】
2006106634.tif 000003
【図２】
2006106634.tif 000004
【図３】
2006106634.tif 000005
【図４】
2006106634.tif 000006
【図５】
2006106634.tif 000007
【図６】
2006106634.tif 000008
【図７】
2006106634.tif 000009
【図８】
2006106634.tif 000010
【図９】
2006106634.tif 000011
【図１０】
2006106634.tif 000012